【手続補正書】
【提出日】平成18年12月5日(2006.12.5)
【手続補正１】
【補正対象書類名】明細書
【補正対象項目名】特許請求の範囲
【補正方法】変更
【補正の内容】
【特許請求の範囲】
【請求項１】
被写体を撮像して前記被写体の画像情報を記録する電子カメラであり、
前記被写体の撮像時の撮像条件データが記録格納され、カメラ本体に着脱自在な撮像条件記録媒体と、
前記カメラ本体に装着された前記撮像条件記録媒体に記録されている撮像条件データを読み出して、被写体の撮像時の撮像条件データとして設定する撮像条件データ設定手段と、
前記電子カメラに撮像動作を禁止するロックを施すロック手段と、前記撮像条件記録媒体の前記カメラ本体への装着を含む解除操作によって、前記ロックを解除し、前記電子カメラを撮像動作可能な状態に復帰するロック解除手段と
を有することを特徴とする電子カメラ。
【請求項２】
被写体を撮像して前記被写体の画像情報を記録する電子カメラであり、
前記被写体の撮像時の撮像条件データが記録格納され、カメラ本体に着脱自在な撮像条件記録媒体と、
前記カメラ本体に装着された前記撮像条件記録媒体に記録されている撮像条件データを読み出して、被写体の撮像時の撮像条件データとして設定する撮像条件データ設定手段と、
前記電子カメラに撮像動作を禁止するロックを施すロック手段と、前記撮像条件記録媒体の前記カメラ本体への装着を含む解除操作によって、前記ロックを解除し、前記電子カメラを撮像動作可能な状態に復帰するロック解除手段と、
前記カメラ本体に装着された撮像条件記録媒体に記録されている撮像条件データを表示する撮像条件データ表示手段と、
前記撮像条件データ設定手段を制御することにより、前記撮像条件データ表示手段により表示された撮像条件データから選択した撮像条件データを、被写体の撮像時に、被写体の撮像条件データとして設定させる撮像条件データ設定制御手段と
を有することを特徴とする電子カメラ。
【請求項３】
前記ロック解除手段が、前記撮像条件記録媒体の前記カメラ本体への装着により、前記ロック手段のロックを解除し、前記電子カメラを撮像動作可能な状態に復帰することを特徴とする請求項１記載の電子カメラ。
【請求項４】
前記ロック解除手段が、前記撮像条件記録媒体の前記カメラ本体への装着とパスワードの入力とにより、前記ロック手段のロックを解除し、前記電子カメラを撮像の動作可能な状態に復帰することを特徴とする請求項１記載の電子カメラ。
【手続補正２】
【補正対象書類名】明細書
【補正対象項目名】０００４
【補正方法】変更
【補正の内容】
【０００４】
本発明は、前述したようなこの種の電子カメラの現状に鑑みてなされたものであり、その目的は、撮影者がすでに独自に設定した履歴撮像条件データを、被写体の撮像に際して選択して使用することが可能で、さらに子供の悪戯による故障と怪我を防止してスムーズな撮像が実現可能なロック機能を備えた電子カメラを提供することにある。
【手続補正３】
【補正対象書類名】明細書
【補正対象項目名】０００５
【補正方法】変更
【補正の内容】
【０００５】
【課題を解決するための手段】
前記目的を達成するために、請求項１記載の発明は、被写体を撮像して前記被写体の画像情報を記録する電子カメラであり、前記被写体の撮像時の撮像条件データが記録格納され、カメラ本体に着脱自在な撮像条件記録媒体と、前記カメラ本体に装着された前記撮像条件記録媒体に記録されている撮像条件データを読み出して、被写体の撮像時の撮像条件データとして設定する撮像条件データ設定手段と、前記電子カメラに撮像動作を禁止するロックを施すロック手段と、前記撮像条件記録媒体の前記カメラ本体への装着を含む解除操作によって、前記ロックを解除し、前記電子カメラを撮像動作可能な状態に復帰するロック解除手段とを有することを特徴とするものである。
【手続補正４】
【補正対象書類名】明細書
【補正対象項目名】０００６
【補正方法】変更
【補正の内容】
【０００６】
このような手段によると、カメラ本体に着脱自在な撮像条件記録媒体に、被写体の撮像時の撮像条件データが記録格納され、撮像条件データ設定手段によって、カメラ本体に装着された撮像条件記録媒体に記録されている撮像条件データが読み出されて、被写体の撮像時の撮像条件データとして設定され、撮影者によって、すでに独自に設定された撮像条件データが、被写体の撮像時に撮像条件データとして選択設定され、被写体の撮像が、常に撮影雰囲気にマッチし、撮影者の嗜好に合った撮像条件データを使用して、簡単な操作によって迅速且つ適確に行われる。また、ロック手段によって、電子カメラに撮像動作を禁止するロックが施され、このロックは、撮影者が、撮像条件記録媒体のカメラ本体への装着を含む解除操作を行うことにより、ロック解除手段によって解除され、電子カメラが撮像可能な状態に復帰するので、子供の悪戯による撮像条件データの抹消や電子カメラの故障、さらには、電子カメラ部材による子供の怪我が安全に防止される。
【手続補正５】
【補正対象書類名】明細書
【補正対象項目名】０００７
【補正方法】変更
【補正の内容】
【０００７】
前記目的を達成するために、請求項２記載の発明は、被写体を撮像して前記被写体の画像情報を記録する電子カメラであり、前記被写体の撮像時の撮像条件データが記録格納され、カメラ本体に着脱自在な撮像条件記録媒体と、前記カメラ本体に装着された前記撮像条件記録媒体に記録されている撮像条件データを読み出して、被写体の撮像時の撮像条件データとして設定する撮像条件データ設定手段と、前記電子カメラに撮像動作を禁止するロックを施すロック手段と、前記撮像条件記録媒体の前記カメラ本体への装着を含む解除操作によって、前記ロックを解除し、前記電子カメラを撮像動作可能な状態に復帰するロック解除手段と、前記カメラ本体に装着された撮像条件記録媒体に記録されている撮像条件データを表示する撮像条件データ表示手段と、前記撮像条件データ設定手段を制御することにより、前記撮像条件データ表示手段により表示された撮像条件データから選択した撮像条件データを、被写体の撮像時に、被写体の撮像条件データとして設定させる撮像条件データ設定制御手段とを有することを特徴とするものである。
【手続補正６】
【補正対象書類名】明細書
【補正対象項目名】０００９
【補正方法】変更
【補正の内容】
【０００９】
同様に前記目的を達成するために、請求項３記載の発明は、請求項１記載の発明において、前記ロック解除手段が、前記撮像条件記録媒体の前記カメラ本体への装着により、前記ロック手段のロックを解除し、前記電子カメラを撮像動作可能な状態に復帰することを特徴とするものである。
【手続補正７】
【補正対象書類名】明細書
【補正対象項目名】００１０
【補正方法】変更
【補正の内容】
【００１０】
このような手段によると、ロック解除手段が、撮像条件記録媒体のカメラ本体への装着により、ロック手段のロックを解除し、電子カメラを撮像動作可能な状態に復帰することにより、請求項１記載の発明での作用が実行される。
【手続補正８】
【補正対象書類名】明細書
【補正対象項目名】００１１
【補正方法】変更
【補正の内容】
【００１１】
同様に前記目的を達成するために、請求項４記載の発明は、請求項１記載の発明において、前記ロック解除手段が、前記撮像条件記録媒体の前記カメラ本体への装着とパスワードの入力とにより、前記ロック手段のロックを解除し、前記電子カメラを撮像の動作可能な状態に復帰することを特徴とするものである。
【手続補正９】
【補正対象書類名】明細書
【補正対象項目名】００１２
【補正方法】変更
【補正の内容】
【００１２】
このような手段によると、ロック解除手段が、撮像条件記録媒体のカメラ本体への装着とパスワードの入力とにより、ロック手段のロックを解除し、電子カメラを撮像の動作可能な状態に復帰することにより、請求項１記載の発明での作用が実行される。
【手続補正１０】
【補正対象書類名】明細書
【補正対象項目名】００２８
【補正方法】変更
【補正の内容】
【００２８】
【発明の効果】
請求項１記載の電子カメラに係る発明によると、撮像された被写体の画像情報が記録されるが、同時にカメラ本体に着脱自在な撮像条件記録媒体に、被写体の撮像時の撮像条件データが記録格納され、撮像条件データ設定手段によって、カメラ本体に装着された撮像条件記録媒体に記録されている撮像条件データが読み出されて、被写体の撮像時の撮像条件データとして選択設定されるので、撮影者は、すでに独自に設定した撮像条件データを、被写体の撮像時に撮像条件データとして選択設定することにより、常に撮影雰囲気にマッチし、撮影者の嗜好に合った撮像条件データを使用して、被写体の撮像を簡単迅速に行うことが可能になる。また、ロック手段によって、電子カメラに撮像動作を禁止するロックが施され、このロックは、撮影者が、撮像条件記録媒体のカメラ本体への装着を含む解除操作を行うと、ロック解除手段によって解除され、電子カメラが撮像可能な状態に復帰するので、子供の悪戯による撮像条件データの抹消や電子カメラの故障、さらには、電子カメラ部材による子供の怪我を安全に防止することが可能になる。
【手続補正１１】
【補正対象書類名】明細書
【補正対象項目名】００３０
【補正方法】変更
【補正の内容】
【００３０】
請求項３記載の発明によると、ロック解除手段が、撮像条件記録媒体のカメラ本体への装着により、ロック手段のロックを解除し、電子カメラを撮像動作可能な状態に復帰することにより、請求項１記載の発明での効果を実現することが可能になる。
【手続補正１２】
【補正対象書類名】明細書
【補正対象項目名】００３１
【補正方法】変更
【補正の内容】
【００３１】
請求項４記載の発明によると、ロック解除手段が、撮像条件記録媒体のカメラ本体への装着とパスワードの入力とにより、ロック手段のロックを解除し、電子カメラを撮像の動作可能な状態に復帰することにより、請求項１記載の発明での効果を実現することが可能になる。